(57)【要約】【課題】ネットワーク障害が発生しても、必要な作業情報を十分に記憶でき、生産作業が中断されない生産管理システムを提供する。【解決手段】生産管理システム１００は、データベースサーバ１０１と作業端末装置３００ａ、３００ｂとの間にネットワークＮＷにより中継接続された中継装置２００を備える。中継装置２００は、作業者により操作入力される作業関連情報、及びデータベースサーバ１０１で管理される作業者への作業工程の指示内容を示す作業指示情報を、自装置の記憶部２０１で記憶して管理する仲介機能を持つ。【選択図】図１
2019175303.tif 000002
【特許請求の範囲】
【請求項１】
製品別の生産に必要な生産情報を保持して管理するデータベースサーバと、作業者が製品別の生産時に操作する作業端末装置と、がネットワークで接続される生産管理システムにおいて、
前記データベースサーバと前記作業端末装置との間を中継して接続される中継装置を備え、
前記中継装置は、当該作業端末装置を介して作業者によって操作入力される作業関連情報、及び前記データベースサーバで管理される作業者への作業工程の指示内容を示す作業指示情報を、前記生産情報に含まれる情報として自装置の記憶部である中継装置記憶部に記憶させて管理する仲介機能を有する
生産管理システム。
【請求項２】
前記中継装置は、前記作業端末装置を介して作業者により操作入力された作業指示要求に応じて、前記データベースサーバで管理される前記作業指示情報を抽出し、前記中継装置記憶部に記憶させた後に、前記作業端末装置へ前記作業指示情報を送信し、
前記作業端末装置は、前記中継装置から送信された前記作業指示情報を自装置の記憶部である端末装置記憶部に記憶させる
請求項１に記載の生産管理システム。
【請求項３】
前記作業関連情報には、作業者が作業完了した旨について、操作入力した情報を示す作業完了情報と、製造番号、製造日、作業者情報、製造に使用した部品情報を示す製造情報と、前記作業工程で発生した不具合情報、作業の進捗情報、作業時間を示す工程情報と、が含まれ、
前記作業端末装置は、前記作業完了情報、前記製造情報、及び前記工程情報を前記端末装置記憶部に記憶させた後に、前記中継装置へ送信し、
前記中継装置は、前記作業端末装置から送信された前記作業完了情報、前記製造情報、及び前記工程情報を前記中継装置記憶部に記憶させる
請求項２に記載の生産管理システム。
【請求項４】
前記中継装置は、前記中継装置記憶部に記憶させた前記作業完了情報、前記製造情報、及び前記工程情報を、前記データベースサーバへ送信し、
前記データベースサーバは、前記中継装置から送信された前記作業完了情報、前記製造情報、及び前記工程情報を、格納して保持する
請求項３に記載の生産管理システム。
【請求項５】
前記データベースサーバ、前記作業端末装置、及び前記中継装置は、互いに送受信可能な送受信機能を持つ
請求項１〜４の何れか１項に記載の生産管理システム。
【請求項６】
前記データベースサーバ、前記作業端末装置、及び前記中継装置は、前記送受信機能を無線通信式とする
請求項５に記載の生産管理システム。
【発明の詳細な説明】
【技術分野】
【０００１】
本発明は、製品を生産する工場等の生産現場での利用が好適であり、作業者が実施した作業内容を電子データにより管理する生産管理システムに関する。
【背景技術】
【０００２】
一般に、生産現場で製品を生産する場合、担当の作業者が、必要な作業工程を把握し、その作業工程に従って作業を実施する必要がある。また、同じ生産ラインで複数の種類の製品を生産する場合には、生産する製品の種類に応じて、作業内容を切り替える必要がある。こうした生産ラインでは、作業工程の作業内容を示す電子データをパーソナルコンピュータ（以下、パソコンと呼ぶ）で管理するのが一般的である。因みに、作業内容を電子データで管理するパソコンは、生産管理システムと呼ばれる。
【０００３】
具体的に云えば、工場に設置される生産管理システムにおいて、或る作業工程で作業者が作業内容に係る作業指示を行い、作業を完了した際に、作業完了情報を取得する。このように、作業完了後に、作業完了情報を取得してから、次の作業工程へ進むことがマニュアル化されている。その理由は、工場でネットワーク障害が発生した場合でも、製品の生産を止めることなく、作業を継続できることが求められているためである。
【０００４】
このような生産管理システムは、一般にネットワーク障害に対応するため、管理用のデータベースサーバと複数の端末とがネットワークにより接続された構成となっている。係る構成によれば、作業者が操作指示する端末に、作業工程の作業指示内容を記憶させ、作業の実施後に、作業完了情報を同じ端末に記憶させることにより、ネットワーク障害が発生した場合にも、作業を継続させることができる。即ち、データベースサーバと或る端末との間でネットワーク障害が発生した場合でも、ネットワーク障害を発生していない他の端末を使用することにより、作業を継続することができる。
【０００５】
上記生産管理システムに関連する周知技術として、生産ラインを移動する製品に対して実施される作業を管理し易くした作業管理システム及び作業管理方法が挙げられる（例えば、特許文献１参照）。また、その他の周知技術として、生産品に付随する記憶媒体の製造に必要な情報を全て書き込む必要がなく、ネットワーク障害時にも継続して生産を行うことができる生産指示システム及び生産指示方法が挙げられる（例えば、特許文献２参照）。
【先行技術文献】
【特許文献】
【０００６】
【特許文献１】特開２０１５−２３０６４９公報
【特許文献２】特開２００７−２５７０１０公報
【発明の概要】
【発明が解決しようとする課題】
【０００７】
特許文献１では、作業管理サーバとモバイル端末とから成る作業管理システムが提案されている。このモバイル端末によれば、作業管理サーバから、作業の開始前に作業指示を受信し、作業の実施後に、自身の端末と作業管理サーバとで、作業実績を同期させている。これにより、作業管理サーバとモバイル端末とを接続するネットワークに障害が発生した場合でも、モバイル端末に記憶している情報を利用し、作業を継続できる。
【０００８】
また、特許文献２では、データベースサーバと制御コントローラとから成る生産指示システムが提案されている。この生産指示システムによれば、データベースサーバから制御コントローラに対して、定期的に生産指示情報を送信し、制御コントローラで記憶させ、生産処理結果についても記憶させ、係る記憶情報を制御コントローラからデータベースサーバに対して定期的に送信している。これにより、データベースサーバと制御コントローラとを接続するネットワークに障害が発生した場合にも、制御コントローラに記憶している情報を利用し、作業を継続できる。
【０００９】
しかしながら、特許文献１及び特許文献２に係る技術では、作業者が操作するモバイル端末の記憶部、或いは、制御コントローラの記憶部を使用する。このため、記憶する必要な作業情報のデータ量を多くすることができない。従って、ネットワーク障害を発生している時間が長ければ、生産作業を中断しなければならない虞がある。
【００１０】
特に、特許文献１に係る技術では、モバイル端末の記憶部に記憶している情報を利用し、ネットワーク障害の発生時に生産作業を継続できるとしている。しかしながら、特許文献１に係る技術では、モバイル端末の記憶容量については、対策が施されていない。このため、モバイル端末の記憶部に作業実績を記憶できなくなる可能性がある。
【００１１】
本発明は、このような問題点を解決すべくなされたものであり、ネットワーク障害が発生した場合にも、必要な作業情報を記憶でき、生産作業が中断されない生産管理システムを提供することを目的とする。
【課題を解決するための手段】
【００１２】
上記目的を達成するため、本発明に係る生産管理システムは、製品別の生産に必要な生産情報を保持して管理するデータベースサーバと、作業者が製品別の生産時に操作する作業端末装置と、がネットワークで接続される基本構成において、データベースサーバと作業端末装置との間を中継して接続される中継装置を備え、中継装置は、作業端末装置を介して作業者によって操作入力される作業関連情報、及びデータベースサーバで管理される作業者への作業工程の指示内容を示す作業指示情報を、生産情報に含まれる情報として自装置の記憶部である中継装置記憶部に記憶させて管理する仲介機能を有する。
【発明の効果】
【００１３】
本発明によれば、上記構成により、ネットワーク障害が発生した場合にも、必要な作業情報を記憶でき、生産作業が中断されない生産管理システムを提供することができる。
【図面の簡単な説明】
【００１４】
【図１】本発明の実施の形態１に係る生産管理システムの基本構成を示すブロック図である。
【図２】図１に示す生産管理システムに備えられる各部（作業端末装置、中継装置、データベースサーバ）間における動作処理を示したフローチャートである。
【発明を実施するための形態】
【００１５】
以下、本発明の生産管理システムに係る幾つかの実施の形態について、図面を参照して詳細に説明する。
【００１６】
実施の形態１．
図１は、本発明の実施の形態１に係る生産管理システム１００の基本構成を示すブロック図である。図１を参照すれば、この生産管理システム１００は、データベースサーバ１０１、仲介機能を持つ中継装置２００、及び２台の作業端末装置３００ａ、３００ｂがネットワークＮＷにより接続されて構成されている。このような生産管理システム１００は、工場等の生産現場に設置される。データベースサーバ１０１、作業端末装置３００ａ、３００ｂ、及び中継装置２００は、互いに送受信可能な送受信機能を持つ。尚、生産現場に設置されるのは、機能上、作業端末装置３００ａ、３００ｂのみであっても良い。
【００１７】
データベースサーバ１０１は、製品別の生産に必要な生産情報を保持して管理する。作業端末装置３００ａ、３００ｂは、作業者６００ａ、６００ｂが製品別の生産時に操作する。中継装置２００は、データベースサーバ１０１と作業端末装置３００ａ、３００ｂとの間を中継して接続される。そして、中継装置２００は、作業者６００ａ、６００ｂによって作業端末装置３００ａ、３００ｂを介して操作入力される生産情報に含まれる作業関連情報を、自装置で記憶して管理する。また、中継装置２００は、データベースサーバ１０１で管理される生産情報に含まれる作業者６００ａ、６００ｂへの作業工程の指示内容を示す作業指示情報４００を、自装置で記憶して管理する。
【００１８】
因みに、作業関連情報には、作業完了した際に、作業者６００ａ、６００ｂが操作入力する情報である作業完了情報４０２が含まれる。また、作業関連情報には、製造番号、製造日、作業者情報、製造に使用した部品情報を示す製造情報４０１が含まれる。更に、作業関連情報には、作業工程で発生した不具合情報、作業の進捗情報、作業時間を示す工程情報４０３が含まれる。即ち、生産情報は、作業指示情報４００、製造情報４０１、作業完了情報４０２、及び工程情報４０３の全てを示す。これに対し、作業関連情報は、作業端末装置３００ａ、３００ｂの作業指示部３０３ａ、３０３ｂを介して作業者６００ａ、６００ｂが操作入力することで得られる製造情報４０１、作業完了情報４０２、及び工程情報４０３を示す。これらの各情報については、後文で詳述する。
【００１９】
中継装置２００は、作業端末装置３００ａ、３００ｂで操作指示される作業指示要求に応じて、データベースサーバ１０１で管理される作業指示情報４００を引き出して、自装置で記憶して管理した後、作業端末装置３００ａ、３００ｂへ作業指示情報４００を引き渡す。これを受け、作業端末装置３００ａ、３００ｂでは、中継装置２００から引き渡された作業指示情報４００を、自装置で記憶して管理する。また、中継装置２００は、作業端末装置３００ａ、３００ｂから取得される作業関連情報である製造情報４０１、作業完了情報４０２、及び工程情報４０３を、自装置で記憶して管理した後、データベースサーバ１０１へ引き渡す。この結果、中継装置２００は、生産情報を自装置で記憶して管理することができる。データベースサーバ１０１についても、同様に、中継装置２００から作業関連情報が引き渡されるため、生産情報を格納して保持することができる。更に、作業端末装置３００ａ、３００ｂについても、操作入力された作業関連情報を自装置で記憶して管理するため、結果として、生産情報を自装置で記憶して管理することができる。
【００２０】
具体的に云えば、作業端末装置３００ａは、記憶部３０１ａ、送受信インターフェース３０２ａ、及び操作・表示機能を持つ作業指示部３０３ａを備えて構成される。同様に、作業端末装置３００ｂは、記憶部３０１ｂ、送受信インターフェース３０２ｂ、及び操作・表示機能を持つ作業指示部３０３ｂを備えて構成される。これらの作業端末装置３００ａ、３００ｂは、送受信インターフェース３０２ａ、３０２ｂを通して、生産情報の作業指示情報４００、製造情報４０１、作業完了情報４０２、工程情報４０３を送受信する。また、作業端末装置３００ａ、３００ｂは、送受信する各情報を記憶部３０１ａ、３０１ｂに記憶させる。この結果、作業端末装置３００ａ、３００ｂの記憶部３０１ａ、３０１ｂにおいて、生産情報が記憶され、管理されることになる。
【００２１】
即ち、作業端末装置３００ａ、３００ｂは、作業指示部３０３ａ、３０３ｂを通して、作業者６００ａ、６００ｂへ向けた作業指示情報４００に含まれる作業指示５００ａ、５００ｂを、表示機能により伝達する。また、作業端末装置３００ａ、３００ｂは、作業者６００ａ、６００ｂによって、作業指示部３０３ａ、３０３ｂを介して作業完了５０１ａ、５０２ｂが操作入力されることで、作業完了情報４０２を取得できる。同様に、作業端末装置３００ａ、３００ｂは、作業者６００ａ、６００ｂによる作業指示部３０３ａ、３０３ｂを介した操作入力により、製造情報４０１、工程情報４０３を取得できる。そこで、作業端末装置３００ａ、３００ｂは、作業関連情報である製造情報４０１、作業完了情報４０２、工程情報４０３を、自装置の記憶部３０１ａ、３０１ｂに記憶させて管理する。その後、作業端末装置３００ａ、３００ｂは、送受信インターフェース３０２ａ、３０２ｂを通して、作業関連情報をネットワークＮＷを介して中継装置２００へ伝達する。尚、図１では、作業端末装置の構成について、作業端末装置３００ａ、３００ｂの２台を備える場合について説明したが、その数は、１台であっても、或いは３台以上であっても良い。
【００２２】
中継装置２００は、記憶部２０１、及び送受信インターフェース２０２を備えて構成される。中継装置２００は、送受信インターフェース２０２を通して、生産情報である作業指示情報４００、製造情報４０１、作業完了情報４０２、工程情報４０３を送受信する。即ち、中継装置２００は、データベースサーバ１０１から引き出した作業指示情報４００と、作業端末装置３００ａ、３００ｂから得られた作業関連情報と、を記憶部２０１に記憶させる。この結果、中継装置２００の記憶部２０１において、生産情報が記憶され、管理されることになる。
【００２３】
データベースサーバ１０１は、初期的に、製品別の生産に必要な作業指示情報４００を格納して保持している。このため、データベースサーバ１０１は、作業端末装置３００ａ、３００ｂの送受信インターフェース３０２ａ、３０２ｂと、中継装置２００の送受信インターフェース２０２と、を通して、作業指示要求があると、作業指示情報４００を伝達する役割を担う。即ち、データベースサーバ１０１は、中継装置２００の送受信インターフェース２０２と、作業端末装置３００ａ、３００ｂの送受信インターフェース３０２ａ、３０２ｂと、を通して、作業端末装置３００ａ、３００ｂに作業指示情報４００を伝達する。また、データベースサーバ１０１には、作業端末装置３００ａ、３００ｂの送受信インターフェース３０２ａ、３０２ｂと、中継装置２００の送受信インターフェース２０２と、を通して、作業端末装置３００ａ、３００ｂから作業関連情報が伝達される。この結果、データベースサーバ１０１においても、生産情報が保持され、管理されることになる。
【００２４】
データベースサーバ１０１について、図１中では、１台である場合を示したが、これも複数台あっても構わない。例えば、２台のデータベースサーバ１０１があった場合、一方がネットワークＮＷの障害発生等により、予め設定していた時間、通信ができなくなった場合でも、他方について、キャッシュをスタートしたり、バックアップへ移行することができる。
【００２５】
次に、生産管理システム１００の基本動作について、中継装置２００の仲介機能を含めて具体的に説明する。図２は、生産管理システム１００に備えられる作業端末装置３００ａ、中継装置２００、データベースサーバ１０１間における動作処理を示したフローチャートである。尚、作業端末装置３００ｂは、作業端末装置３００ａと同等な処理機能を有するものであり、動作説明を省略する。また、作業端末装置３００に対する上位装置となるデータベースサーバ１０１及び中継装置２００側の通信上の識別管理は、周知のインターネットプロトコルアドレス等の認証により行われるものとする。
【００２６】
図２に示したフローチャートでは、作業端末装置３００ａの送受信インターフェース３０２ａと、中継装置２００の送受信インターフェース２０２と、を通して、作業指示要求がある場合を想定している。こうした場合、ステップＳ１１において、作業者６００ａは、作業端末装置３００ａの作業指示部３０３ａに対して操作指示し、作業指示要求を行う。このとき、作業端末装置３００ａの送受信インターフェース３０２ａは、ネットワークＮＷを介して中継装置２００の送受信インターフェース２０２に対して作業指示要求を送信する。
【００２７】
送受信インターフェース２０２を通して、作業指示要求を受信した中継装置２００は、ステップＳ２１において、送受信インターフェース２０２を通して、ネットワークＮＷを介して、データベースサーバ１０１へ作業指示要求中継送信を行う。これを受け、データベースサーバ１０１は、ステップＳ３１において、作業指示要求受付した後、ステップＳ３２に進み、要求への応答として、作業指示情報４００を、ネットワークＮＷを介して中継装置２００の送受信インターフェース２０２へ送信する。
【００２８】
中継装置２００は、ステップＳ２２において、送受信インターフェース２０２を通して、受信した作業指示情報４００を、記憶部２０１に記憶させて管理する。この後、中継装置２００は、記憶された作業指示情報４００を、送受信インターフェース２０２を通して、作業端末装置３００ａの送受信インターフェース３０２ａへ送信する。これにより、中継装置２００における作業指示情報記憶送信の処理が行われる。但し、中継装置２００は、作業指示情報４００の送信に際して、作業端末装置３００ａの送受信インターフェース３０２ａに対して、内容を分けて送信しても良いし、同一な内容にして送信しても良い。
【００２９】
作業端末装置３００ａは、送受信インターフェース３０２ａを通して、作業指示情報４００を受信すると、ステップＳ１２において、受信した作業指示情報４００を記憶部３０１ａに記憶させて管理する。この後、作業端末装置３００ａは、記憶された作業指示情報４００を、作業指示部３０３ａに対して表示する等の伝達を行う。これにより、作業端末装置３００ａにおける作業指示情報記憶表示の処理が行われる。また、その結果として、作業者６００ａ向けの作業指示５００ａが行われる。尚、図１中の作業端末装置３００ｂについても、同様に、作業者６００ｂ向けの作業指示５００ｂが行われる。
【００３０】
そこで、作業者６００ａは、作業指示５００ａで指示された作業を実施する。作業の具体例としては、例えば、作業指示５００ａがネジ締め作業である場合を例示できる。ネジ締め作業では、生産機器のドライバ及びネジ締めトルクが指定され、回数、場所も指示される場合を例示できる。作業完了後、作業者６００ａは、作業端末装置３００ａの作業指示部３０３ａに対して作業完了５０１ａの旨を操作入力する。尚、図１中の作業端末装置３００ｂの作業者６００ｂによる作業完了５０１ｂについても、同様に行われる。このとき、作業端末装置３００ａは、作業指示部３０３ａから作業完了情報４０２を取得し、記憶部３０１ａに記憶させて管理する。
【００３１】
次に、作業端末装置３００ａは、ステップＳ１３において、送受信インターフェース３０２ａを通して、ネットワークＮＷを介して中継装置２００の送受信インターフェース２０２に対して、作業完了情報通達を行う。この作業完了情報通達を送受信インターフェース２０２で受けた中継装置２００は、ステップＳ２３において、作業完了情報４０２を記憶部２０１に記憶させて管理する。この後、中継装置２００は、送受信インターフェース２０２を通して、ネットワークＮＷを介してデータベースサーバ１０１に対して、作業完了情報４０２を送信する。これにより、中継装置２００における作業指示情報記憶送信の処理が行われる。作業完了情報４０２を受信したデータベースサーバ１０１は、ステップＳ３３において、作業完了情報格納の処理を実行する。
【００３２】
また、作業者６００ａは、製造情報４０１についても、作業端末装置３００ａの作業指示部３０３ａに対して操作入力する。このとき、作業端末装置３００ａは、作業指示部３０３ａから製造情報４０１を取得でき、記憶部３０１ａに記憶させて管理する。更に、作業端末装置３００ａは、ステップＳ１４において、記憶部３０１ａに記憶された製造情報４０１を、送受信インターフェース３０２ａを通して、ネットワークＮＷを介して中継装置２００の送受信インターフェース２０２に対して、製造情報通達として送信する。但し、製造情報４０１については、必ずしも、作業者６００ａによって、直接入力する必要はないものである。例えば、製造情報４０１である製造に使用した部品情報は、作業者６００ａが入力しなくても、使用時に取得できる。実作業の例として、ネジ締め作業を担当している作業者６００ａが、ネジを箱から取り出す際に、どの箱から取り出したかをセンサで検知していれば、その時点で部品情報を取得できる。センサ等の装置がない場合でも、作業者６００ａが使用する部品を準備する時に判別可能である。
【００３３】
製造情報４０１を送受信インターフェース２０２で受けた中継装置２００は、ステップＳ２４において、製造情報４０１を記憶部２０１に記憶させて管理する。この後、中継装置２００は、送受信インターフェース２０２を通して、ネットワークＮＷを介してデータベースサーバ１０１に対して、製造情報４０１を送信する。これにより、中継装置２００における製造情報記憶送信の処理が行われる。製造情報４０１を受信したデータベースサーバ１０１は、ステップＳ３４において、製造情報格納の処理を実行する。
【００３４】
更に、作業者６００ａは、工程情報４０３についても、作業端末装置３００ａの作業指示部３０３ａに対して操作入力する。このとき、作業端末装置３００ａは、作業指示部３０３ａから工程情報４０３を取得でき、記憶部３０１ａに記憶させて管理する。更に、作業端末装置３００ａは、ステップＳ１５において、記憶部３０１ａに記憶された工程情報４０３を、送受信インターフェース３０２ａを通して、ネットワークＮＷを介して中継装置２００の送受信インターフェース２０２に対して、工程情報通達として送信する。但し、工程情報４０３についても、必ずしも、作業者６００ａによって、直接入力する必要はないものである。作業指示情報４００を取得し、作業完了情報４０２も取得しているため、不具合発生時以外は自動で取得可能である。
【００３５】
工程情報４０３を送受信インターフェース２０２で受けた中継装置２００は、ステップＳ２５において、工程情報４０３を記憶部２０１に記憶させて管理する。この後、中継装置２００は、送受信インターフェース２０２を通して、ネットワークＮＷを介してデータベースサーバ１０１に対して、工程情報４０３を送信する。これにより、中継装置２００における工程情報記憶送信の処理が行われる。工程情報４０３を受信したデータベースサーバ１０１は、ステップＳ３５において、工程情報格納の処理を実行する。但し、工程情報４０３が無い場合、ステップＳ１５、ステップＳ２５、ステップＳ３５の処理は、不要になる。
【００３６】
一般に、作業端末装置３００ａ、３００ｂに備えられる記憶部３０１ａ、３０１ｂは、大容量化が困難である。このため、作業完了毎に、データベースサーバ１０１に対して、記憶部３０１ａ、３０１ｂの生産情報を送信して、データベースサーバ１０１側で記憶させることが望ましい。ところが、ネットワークＮＷの障害発生により、データベースサーバ１０１と作業端末装置３００ａ、３００ｂとの通信が不可能になると、記憶部３０１ａ、３０１ｂに記憶させる生産情報が容量超えになってしまう可能性がある。こうした場合には、作業を中断しなければならない虞がある。これに対し、本実施の形態１の生産管理システム１００では、中継装置２００の記憶部２０１を使用するようにしている。このため、係る問題を解決でき、ネットワーク障害が発生しても、必要な作業情報を十分に記憶でき、生産作業が中断されない機能を提供できる。
【００３７】
以上のように、本実施の形態１の生産管理システムによれば、作業端末装置で管理される必要な作業情報の生産情報を、記憶容量を大きくできる中継装置の記憶部に記憶させている。この結果、ネットワークの障害発生により、作業端末装置とデータベースサーバとの通信が不可能なっても、生産作業が中断されない機能を持たせることができる。即ち、係るネットワークの障害発生時には、中継装置の記憶部に記憶された生産情報に基づいて、作業端末装置を使用すれば、生産作業を中断することなく、継続して実施することができる。
【００３８】
実施の形態２．
実施の形態２の生産管理システムは、先の実施の形態１の生産管理システム１００における中継装置２００の送受信インターフェース２０２と、作業端末装置３００ａ、３００ｂの送受信インターフェース３０２ａ、３０２ｂと、の形態を変更している。具体的には、中継装置２００と作業端末装置３００ａ、３００ｂとの送受信機能をネットワークＮＷによって接続されない無線通信式としたものである。こうした構成にしても、同様な作用効果が得られる。因みに、本実施の形態２に係る生産管理システムにおいても、作業端末装置の構成について、作業端末装置３００ａ、３００ｂの２台を備える場合について説明したが、その数は、１台であっても、或いは３台以上であっても良い。
【符号の説明】
【００３９】
１００  生産管理システム、１０１  データベースサーバ、２００  中継装置、２０１、３０１ａ、３０１ｂ  記憶部、２０２、３０２ａ、３０２ｂ  送受信インターフェース、３００ａ、３００ｂ  作業端末装置、３０３ａ、３０３ｂ  作業指示部、４００  作業指示情報、４０１  製造情報、４０２  作業完了情報、４０３  工程情報、５００ａ、５００ｂ  作業指示、５０１ａ、５０１ｂ  作業完了、６００ａ、６００ｂ  作業者、ＮＷ  ネットワーク。
【図１】
2019175303.tif 000003
【図２】
2019175303.tif 000004